(57)【特許請求の範囲】
【請求項１】
静電植毛室とその手前に配される接着剤塗布装置との間に、入口を接着剤塗布装置の出口に向け、出口を静電植毛室の入口に向け、且つ、内側に加湿エアー供給装置から供給される加湿エアーを充満するボックス型に構成して成り、接着剤塗布装置から表面に接着剤層を形成される静電植毛加工物を充満した加湿エアー中を潜らせて入口から出口に向かって通過させる構成とするとともに、充満した加湿エアーを前記出口から静電植毛室の入口並に出口に向かって吹き込む構成とすることを特徴とした静電植毛装置。
【発明の詳細な説明】
【０００１】
【発明の属する技術分野】
本発明は、接着剤層を形成した被植毛加工物をワークとしながら、このワークをアース状態で静電植毛室を通過させて静電植毛加工を施し、その後処理として常法に従って乾燥加工を施して植毛製品とする静電植毛装置に関するものである。
【０００２】
【従来の技術】
静電植毛装置の基本的構成は、静電植毛室であるハウジング内に、高圧静電気を放電する植毛電極を絶縁材で支持して配されている。その植毛電極から所定の距離をはなして、植毛電極の上方、或いは下方又は横側に接着剤層を表面に形成した加工物をいわゆるワークとしてアースされた状態で対向して位置させる。そのワークは、アースされた棚或いは懸垂具等の器具に配置されていることもあり、また、該ハウジングの入口から出口に向かって該ワークを支持して通過させる移動型の器具に配されることもある。更に、該ハウジング内には、静電気の作用によって植毛電極側からワークに向かって飛翔させる短繊維をハウジング外に設置された短繊維供給装置から供給を受けて、貯留する貯留部をハウジングの上方或いは下方又は横側に配されている。
そして、該ハウジング天井部には、静電植毛作業を行った際該ハウジング内に飛翔する短繊維が該ハウジング外に飛散することを防止するフィルターを配した排気装置が設けられている。
【０００３】
該ハウジングの入口側には、加工物の表面に接着剤を塗して接着剤層を形成する接着剤塗布装置を配し、該加工物をワークとしてハウジング内に搬入するようになっている。
【０００４】
また、該ハウジングの出口側には植毛加工された加工物を通過させて乾燥させる乾燥装置が配されている。
【０００５】
この乾燥装置は、植毛加工された加工物の接着剤層を乾燥させる加熱機を備え、且つ加工物に形成された接着剤層の含有水分を含む熱気を放出する排気口を備えている。
【０００６】
この乾燥装置に続いて製品の回収装置が配されることになっている。
【０００７】
従来から使われている静電植毛装置によって加工物に対して行う静電植毛加工操作の説明をハウジングの下方に短繊維貯留部を配置した方式、即ち、アップ方式を例にとって説明する。
【０００８】
静電植毛を施す加工物に対してハウジングの入口の手前に配置された接着剤塗布機によって、該加工物の表面に接着剤を塗布して接着剤層を形成し、いわゆるワークとする。
【０００９】
表面に接着剤塗布層を形成したワークを、アースされた器具に支持してハウジングの入口からハウジング内に配置する。即ち該ワークをアースされた状態でハウジング内に配置する。
【００１０】
このときは、高圧静電気が送電されて植毛電極に高圧静電気が印加されている。従って、アースされたワークと植毛電極との間には植毛電極から該ワークに向う電気力線を発生させる電界が生じる。
【００１１】
外部から加湿エアーを貯留部に吹き込み、貯留部に貯留された短繊維は前記電界内に舞い上がることになり、舞上がった短繊維は植毛電極を通過する際、帯電してワークに向って飛翔する。そして、該ワークの表面に塗布された接着剤層に短繊維の先端を突き刺すことになる。そしてその接着剤層の表面にまんべんなく均一の植毛を行うと言うものである。
【００１２】
ハウジング内に舞上った余分な短繊維は、ハウジングの天井部に配されたフィルターによって捕捉され、加湿エアーは排気装置から排気される。
【００１３】
この操作を終った加工物をハウジングの出口から加熱機を備えた乾燥機を通過させることによって接着剤層を形成する接着剤中の含有水分を蒸発させ乾燥させ、前記状態で短繊維を該ワークにしっかりと植え付ける。
【００１４】
この作業を行った加工物を回収する。
【００１５】
従って、ハウジング内にあるワークに植毛加工を施すには、ワークの表面に形成された接着剤層は、常にハウジング内を電極からワークに向かって飛翔する短繊維の先端が突き刺さりやすい粘度を保持していなければならない。即ち、該接着剤層は常に湿潤性を保持した粘性度をもつ状態でなければならない。
ところが、ともすると、ハウジング内は植毛加工中に温度が上昇し、そのためにワークの表面に形成した該接着剤層から水分が蒸発し、該接着剤層面に皮膜が張られた状態となって前記した短繊維の先端が突き刺さりにくい状態となることがある。この状態下で行われる静電植毛は、結果的には良質な植毛製品が得られないと言う不都合が生じることになる。
【００１６】
また、ハウジングないで静電植毛作業を行っている最中に、ハウジング内に舞上がって飛翔する短繊維がハウジングの出入口から吹き出る。これを阻止するのにハウジングの出入口にエアーカーテン装置を配していた。
【００１７】
これまでの静電植毛装置のハウジングを構成する場合、ハウジング内に前記不都合の生じるのを阻止する装置を併設すると言う考え方、また、その装置を、エアーカーテン装置に代替機能を発揮させようと言う考え方はなかった。
【００１８】
【発明を解決するための課題】
本発明は、上記不都合の生じる虞れを除去して、ハウジング内に送り込まれるワークに塗布された接着剤層は静電植毛加工の行われている最中は、表面に皮膜が張られたような状態となることなく、植毛に最適な状態で植毛が行われるように湿潤性を保持してハウジング内が常に上記ワークに形成された接着剤層を静電植毛を行うのに最適な湿潤状態にある雰囲気を保持するようにし、且つ、ハウジング内で静電植毛加工が行われている最中にハウジング内に舞上がってハウジング内から吹き出される短繊維の外部への吹き出しを阻止する機能を発揮する装置を提供しようとするものである。
【００１９】
【問題を解決するための手段】
静電植毛室とその手前に配される接着剤塗布装置との間に、入口を接着剤塗布装置の出口に向け、出口を静電植毛室の入口に向け、且つ、内側に加湿エアー供給装置から供給される加湿エアーを充満するボックス型に構成して成り、接着剤塗布装置から表面に接着剤層を形成される静電植毛加工物を充満した加湿エアー中を潜らせて入口から出口に向かって通過させる構成とするとともに、充満した加湿エアーを前記出口から静電植毛室の入口並に出口に向かって吹き込む構成とした。
【００２０】
【実施例】
本装置を配置する静電植毛装置は静電植毛室であるハウジングの入口の手前にワークとなる被静電植毛加工物の表面に接着剤を塗布し、該加工物に接着剤層を形成する接着剤塗布装置が配置されている。
【００２１】
本発明に配置する加湿装置１は、ハウジング（図示しない）の入口と、その手前に配される該加工物に接着剤層を接着剤塗布装置（図示しない）の間入口を接着剤塗布装置の出入り口に向け、出口をハウジング入口に向けて配置する。
【００２２】
その加湿装置１は、蒸気発生機を備えた加湿エアー供給装置（図示しない）から加湿エアー吹き込み口２を通して加湿エアーを吹き込まれるボックス型に構成されている。また、その加湿装置は該装置内に吹き込まれた加湿エアーを充満する構造になっていて、更に、充満した加湿エアーを出口からハウジングの入口に吹き込む構造としてある。
【００２３】
接着剤塗布装置を通過させて接着剤層を形成した長尺の帯状の平板である被静電植毛加工物５を加湿装置１の入口から、静電植毛室であるハウジングの入口に接近して設けた出口に向けて通過させる場合を例にとって説明する。
【００２４】
前記加工物を、接着剤塗布装置側からハウジング側に向けて送り出し、これを加湿装置１内を入口から出口に向かって通過させる過程で、前記加工物は加湿装置１内に加湿エアー供給装置から吹き込み口２を通して吹き込まれて充満する加湿エアー内を潜り抜けることになり、前記加工物の接着剤層形成面はまんべんなく湿潤される。
【００２５】
その操作をうけた前記加工物は、加湿装置１の出口４からハウジングの入口を通って、ワークとしてハウジングを通過し、ハウジングを通過する過程で湿潤された接着剤層に短繊維の先端が突き刺さし、良好な植毛加工が施されてハウジング出口から送り出される。
【００２６】
また、本発明を構成する加湿装置は、加湿装置内に加湿エアーを充満し、充満した加湿エアーで、加湿装置を通過する前記加工物の接着剤層に湿潤機能を発揮させるが、加湿装置内に充満した加湿エアーは、加湿装置１の入口からも吹き出すが、特に出口から吹き出すようにする。
加湿装置１の出口は、ハウジングの入口に接近されているので加湿装置の出口から吹き出した加湿エアーはハウジング内に吹き込まれる。
【００２７】
この現象によりハウジング内に吹き込まれた加湿エアーは、ハウジング内の乾燥抑制機能を果たす。従って、加湿エアーの吹き込み量を加減することによってハウジング内を静電植毛に最適な雰囲気とすることができる。これと同時に、ハウジング内に舞上がって飛翔する短繊維がハウジングの入口から外部に飛散するのを阻止する。
即ち、ハウジング入口にエアーカーテンを作る装置を置いたのと同じ機能を発揮する。
【００２８】
更に、加湿エアー供給装置からの加湿エアー吹き出し機構を、ハウジングの入口に向けるだけでなく、加湿エアーの吹き出し量を調整した回路としてハウジングの出口にのぞませて配置するときは、調整された加湿エアーがハウジング内に加湿エアーがとして吹き込まれ、ハウジング内に吹き込んだ加湿エアーは、ハウジング内の乾燥抑制機能を果たすと同時に、ハウジング内に舞上がって飛翔する短繊維がハウジングの出口から外部に飛散するのを阻止する。
即ち、ハウジング出口にエアーカーテンを作る装置を置いたのと同じ機能を発揮する。
【００２９】
【発明の効果】
ハウジングの入口の手前に配される接着剤塗布装置との間に加湿装置を配し、被植毛加工物を該加湿装置を通過させて、該加工物の表面に形成された接着剤層を所望な状態に湿潤させた状態にワークとしてハウジングに送り込み、これに植毛加工を施しながらハウジングを通過させることにより、ワークに良好な状態の植毛を施すことができ、更に加湿装置からの吹き出し加湿エアーをハウジングの入口或は出口にのぞませて吹き込ませることによりハウジングの入口或は出口にエアーカーテンを形成したと同じ機能が得られる。
【図面の簡単な説明】
【図１】ハウジングと接着剤塗布装置の間に出口をハウジング側に入口を接着剤塗布装置側に向けて配される加湿装置の断面図。
【符号の説明】
１．加湿装置
２．加湿エアー吹き込み口
３．入口
４．出口
【図１】
0003817394.tif 000002